(57)【要約】【課題】撮影前の機材選択時、及び、撮影現場において有益な情報を撮影者に提供することができる交換レンズ及びカメラシステムを提供する。【解決手段】レンズ鏡筒１００内に、情報記憶部１０１を設ける。この情報記憶部１０１には、画像を記憶する画像記憶部１０２，画像記憶部１０２に記憶した画像に関連付けられた撮影状況を記憶する撮影状況記憶部１０３，画像記憶部１０２に記憶した画像に関連付けられた撮影者情報を記憶する撮影者情報記憶部１０４を設ける。さらに、レンズ鏡筒１００に着脱可能な着脱可能画像記憶部１０５を設ける。【選択図】図１
2005181385.tif 000002
【特許請求の範囲】
【請求項１】
撮影光学系と、
カメラボディに接続されるマウント部と、
撮影前に参照することができる任意の情報を記憶可能な情報記憶部と、
を備える交換レンズ。
【請求項２】
請求項１に記載の交換レンズにおいて、
前記情報記憶部は、画像を記憶することができること、
を特徴とする交換レンズ。
【請求項３】
請求項２に記載の交換レンズにおいて、
前記情報記憶部は、記憶した画像に関連して画像の撮影状況を記憶できること、
を特徴とする交換レンズ。
【請求項４】
請求項２又は請求項３に記載の交換レンズにおいて、
前記情報記憶部は、記憶した画像に関連して撮影者に関する情報を記憶できること、
を特徴とする交換レンズ。
【請求項５】
請求項１から請求項４までのいずれか１項に記載の交換レンズにおいて、
前記情報記憶部は、交換レンズ本体に対して着脱自在であること、
を特徴とする交換レンズ。
【請求項６】
請求項１から請求項５までのいずれか１項に記載の交換レンズと、
前記交換レンズを装着可能なカメラボディと、
前記カメラボディに設けられ、前記情報記憶部に記憶されている情報を表示可能な表示部と、
を備えるカメラシステム。
【発明の詳細な説明】
【技術分野】
【０００１】
本発明は、カメラボディに対して着脱自在な交換レンズ及びカメラシステムに関するものである。
【背景技術】
【０００２】
所謂一眼レフカメラ等のレンズ交換が可能なカメラは、様々な特徴を持ったレンズの使い分けができることで、様々な撮影者の目的に合った撮影スタイルに合致させることができるため、画像を得る道具として人気がある。
交換レンズの特徴として、焦点距離とＦナンバーがある。焦点距離が短いレンズは、広大な風景を１枚の画像に納めたり、狭い空間内での撮影で被写体との距離を確保するのが難しい状況で広範囲を１枚の画像に納めたりする場合に向いている。また、焦点距離が長いレンズは、被写体との距離が遠く被写体に近づいて撮影できない状況、例えば、サッカーなどのスポーツ競技で人物を１枚の画像に大きく納めたい場合に向いている。
【０００３】
Ｆナンバーは、値が小さいと結像位置に達する光が多くなり、速いシャッタースピードでの撮影が可能となり、動きの速い被写体の一瞬を撮影するのに向いている。また、Ｆナンバーが小さいと被写界深度と呼ばれる画像の奥行き方向のピントの合っている範囲が狭くなる（被写界深度が浅くなる）ので、例えば、背景をぼかしたいポートレートに向いている。一方、Ｆナンバーが大きいと被写界深度が深くなるので、例えば、風景の撮影に向いている。同じイメージサークルで同じ焦点距離の交換レンズを比較するとＦナンバーが大きいものよりも小さいものの方が結像位置に光を多く導けることから被写体側のレンズ径は大きい傾向にある。一般に交換レンズには、光の通過できる穴である開口絞りが設けられており、開口絞りは一般的に可変であり、径を変えることで同一レンズにおいてＦナンバーを変えることができる。
【０００４】
また、一般的に、同じイメージサークルで同じＦナンバーの交換レンズを比較すると、焦点距離がより長い方がレンズ径が大きく、交換レンズの全長が長くなる傾向がある。
従って、焦点距離とＦナンバーは、交換レンズの大きさに影響してくる。さらに、レンズ径が大きくなるとガラスの質量が増すことになるので、焦点距離とＦナンバーは、大きさに加えて重さに影響してくる。
【０００５】
一般的に、レンズ交換が可能なカメラは、被写体の存在する場所に持ち運んで使用するので、撮影機材の大きさや重さは、撮影のし易さの重要な要素となる。焦点距離に関して短いものから長いものまで、Ｆナンバーに関して値が小さいものを用意した方が撮影可能な被写体の幅は広がるが、機材の大きさと重さに影響し、撮影の機動性を失ってしまう。
従って、撮影においては、必要な機材を絞り込み、機動性を確保しつつ、選択した機材が目的とする被写体に対応できることが重要で、機動性と被写体への適応性のバランス点を見つけ出し確保することに、多くの撮影者が頭を痛める点である。
【０００６】
ところで、被写体に応じて一般に適しているとされている焦点距離とＦナンバーの組み合わせがある。
例えば、人物を大きく写し背景をぼかして人物を浮き立たせて撮影したい場合は、焦点距離が８５ｍｍ等の中望遠で、背景をぼかす効果を得るために被写界深度の浅いＦナンバーがＦ１．４等のレンズが向いている。また、スポーツ撮影では、被写体との距離を狭められないことから焦点距離は３００ｍｍ等の長いもので、被写体の速い動きを写しとめるために速いシャッタースピードを確保できるＦナンバーが明るいＦ２．８等のレンズが向いている。なお、ここで例示した焦点距離は、所謂１３５フォーマットのフィルムカメラの場合である。
【０００７】
このように、ポートレートとスポーツ写真とでは、最適なレンズが異なっている。撮影の目的が、ポートレートだけとかスポーツ写真だけとか１つに限定されたものであれば機材の選択は容易であるが、１つに限定されていることは稀で、複数の目的が複合した場合が普通である。その場合、全ての撮影目的毎に最適なレンズを持ち運ぶのは大きさや重さの点で困難であり、現実的には、機材の取捨選択が必要となる。
【０００８】
例えば、撮影に出発して戻ってくる間にポートレートとスポーツを撮る必要があり、ポートレート撮影に適した８５ｍｍＦ１．４のレンズとスポーツ撮影に適した３００ｍｍＦ２．８のレンズの両方を持っていくには機材の大きさと重さで無理があるといった場合は、３００ｍｍＦ２．８のみを持っていくという取捨選択があり得る。３００ｍｍＦ２．８では被写体との距離は遠くなるので、被写体との会話で柔らかい表情の演出を執りにくくなるが背景をぼかす効果が得られるのでポートレートとして満足のいく結果は得ることができる。
【０００９】
また、撮影に出発してから戻ってくる間に、想定していた目的以外のシャッターチャンスに遭遇することが多々あり、その時持参した機材で対応ができればとても大きな収穫だが、持参した機材で対応できなければシャッターチャンスを逃した悔しさが残る。そのようなことがないために、持参する機材はついつい大きく重くなっていく傾向にある。
【００１０】
どの焦点距離と絞りの組み合わせでどのような画像が得られるかを予測することは、非常に難しいことで、撮影テクニックの書籍を参考にする場合がある。それによって撮影に必要な機材を選定することが可能となる。ただ、撮影テクニックの書籍は、撮影目的別にまとめられているので、各目的別に最適な機材を選ぶことと近くなり、最終的には、自分の直面する複数の撮影目的に最適な機材の取捨選択は自分自身で判断しなければならなくなる。
【００１１】
また、いざ撮影の現地に赴いて撮影を行う際に、撮影するための条件、例えば、絞り値やシャッタースピードを決定する必要がある。その際、参考にした撮影テクニックの書籍を参考にしたいところであるが、書籍を持参すれば機材として嵩張り、撮影目的が複数であれば書籍が複数冊に及ぶ可能性があり、快適な撮影とは言えない状況となる。
【００１２】
特許文献１及び２には、カメラ又はメモリーカードに見本画像を記憶しておき、撮影しようとする被写体に応じて見本画像を選択し、その選択した見本画像に対応した撮影条件を設定するカメラが提案されている。
しかし、特許文献１に「ズームを使うと背景がキレイにボケます。」といったアドバイス情報を画像とともに表示する旨の記載がある他は、特許文献１及び２には、撮影レンズの焦点距離に関する記載はなく、その記載内容からすると、撮影レンズが非交換式のカメラであり、上述したような交換レンズに関する問題点を解決することはできなかった。
【００１３】
また、特許文献３には、ズームレンズ装置のレンズ動作の制御に関する設定情報を記憶する記憶手段を有するズームレンズ装置が提案されている。
しかし、特許文献３に記載の発明は、レンズ動作の制御に関する設定情報が記憶されているだけであり、この情報から上述の問題を解決することはできなかった。また、特許文献３は、コントローラを用いて操作する放送用テレビカメラに用いられるズームレンズ装置に特化した発明であり、その使用者は、撮影技術に詳しい専門家である。これに対し、上述の問題が発生するのは、どちらかといえば撮影技術に詳しくない一般の撮影者であり、レンズ鏡筒という点は共通しているが、対象とする分野が全く異なる発明である。
【特許文献１】特開２００２−１０１３３号公報
【特許文献２】特開２００２−２９０７７８号公報
【特許文献３】特開平１０−３２５９１８号公報
【発明の開示】
【発明が解決しようとする課題】
【００１４】
本発明の課題は、撮影前の機材選択時、及び、撮影現場において有益な情報を撮影者に提供することができる交換レンズ及びカメラシステムを提供することである。
【課題を解決するための手段】
【００１５】
本発明は、以下のような解決手段により、前記課題を解決する。なお、理解を容易にするために、本発明の実施例に対応する符号を付して説明するが、これに限定されるものではない。
請求項１の発明は、撮影光学系（Ｌ）と、カメラボディに接続されるマウント部（１１０）と、撮影前に参照することができる任意の情報を記憶可能な情報記憶部（１０１，１０５）と、を備える交換レンズ（１００）である。
【００１６】
請求項２の発明は、請求項１に記載の交換レンズ（１００）において、前記情報記憶部（１０１，１０５）は、画像を記憶することができること、を特徴とする交換レンズである。
請求項３の発明は、請求項２に記載の交換レンズ（１００）において、前記情報記憶部（１０１，１０５）は、記憶した画像に関連して画像の撮影状況を記憶できること、を特徴とする交換レンズである。
請求項４の発明は、請求項２又は請求項３に記載の交換レンズ（１００）において、前記情報記憶部（１０１，１０５）は、記憶した画像に関連して撮影者に関する情報を記憶できること、を特徴とする交換レンズである。
請求項５の発明は、請求項１から請求項４までのいずれか１項に記載の交換レンズ（１００）において、前記情報記憶部（１０５）は、交換レンズ本体に対して着脱自在であること、を特徴とする交換レンズである。
【００１７】
請求項６の発明は、請求項１から請求項５までのいずれか１項に記載の交換レンズ（１００）と、前記交換レンズを装着可能なカメラボディ（２００）と、前記カメラボディに設けられ、前記情報記憶部（１０１，１０５）に記憶されている情報を表示可能な表示部（２０７）と、を備えるカメラシステムである。
【発明の効果】
【００１８】
本発明によれば、以下の効果を奏することができる。
（１）撮影前に参照することができる任意の情報を記憶可能な情報記憶部を備えるので、撮影前の機材選択時、及び、撮影現場において有益な情報を撮影者に提供することができる。
【００１９】
（２）情報記憶部は、画像を記憶することができるので、その交換レンズによってどのような画像を撮影することができるのかを容易に把握することができる。
【００２０】
（３）情報記憶部は、記憶した画像に関連して画像の撮影状況を記憶できるので、交換レンズに記憶された画像を撮影現場においてより有効に活用することができる。
【００２１】
（４）情報記憶部は、記憶した画像に関連して撮影者に関する情報を記憶できるので、複数の撮影者が交換レンズを利用したり、雑誌などのサンプル画像を記憶させたりした場合に、画像の区別を容易にすることができ、利便性をより向上させることができる。
【００２２】
（５）情報記憶部は、交換レンズ本体に対して着脱自在であるので、記憶させることができる情報量を自由に増減させることができ、無駄に費用をかけることなく、使用者毎に最適な記憶容量を付与することができる。
【００２３】
（６）情報記憶部に記憶されている情報を表示可能な表示部をカメラボディに設けるので、交換レンズに記憶された情報を特別な装置等を必要とせずに、簡単に参照することができる。
【発明を実施するための最良の形態】
【００２４】
撮影前の機材選択時、及び、撮影現場において有益な情報を撮影者に提供するという目的を、撮影前に参照することができる画像、及び、その画像に関連する情報等を記憶可能な情報記憶部を交換レンズ内に設けることにより実現した。
【実施例】
【００２５】
以下、図面等を参照しながら、本発明の実施例について、更に詳しく説明する。
図１は、本発明によるレンズ鏡筒及びカメラシステムの実施例を示す図である。
レンズ鏡筒１００は、結像に必要な撮影光学系であるレンズＬを有し、カメラ２００と着脱可能なマウントである結合部１１０を有する交換レンズである。
レンズＣＰＵ１０６は、カメラＣＰＵ２０２と接点ターミナル１０７で接続され、お互いに通信し制御を行う。
【００２６】
情報記憶部１０１は、任意の情報を記憶可能な不揮発性メモリであり、画像記憶部１０２，撮影状況記憶部１０３，撮影者情報記憶部１０４を有している。
画像記憶部１０２は、画像を入力可能であり、カメラＣＰＵ２０２とレンズＣＰＵ１０６を経由して後述の受像部２０１、カメラ側画像記憶部２０４、外部記憶部２０６の画像を入力可能である。画像記憶部１０２に格納された画像は、レンズＣＰＵ１０６、接点ターミナル１０７、カメラＣＰＵ２０２を経由して表示部２０７に表示可能である。
撮影状況記憶部１０３は、画像記憶部１０２に格納された画像が撮影されたときの状況、例えばシャッタースピードや絞り値等を入力可能である。
【００２７】
撮影者情報記憶部１０４は、撮影者の情報、例えば名前、所属等が入力可能である。
着脱可能画像記憶部１０５は、画像の入力が可能な不揮発性メモリであり、レンズ鏡筒１００に着脱可能であって、レンズ鏡筒１００のコネクタ１０８によって接続可能である。なお、着脱可能画像記憶部１０５には、画像の他に撮影状況記憶部１０３及び撮影者情報記憶部１０４と同様な情報を記憶することもでき、情報記憶部１０１と同等な働きをすることができる。着脱可能画像記憶部１０５に格納された画像は、レンズＣＰＵ１０６、接点ターミナル１０７、カメラＣＰＵ２０２を経由して表示部２０７に表示可能である。
【００２８】
着脱可能画像記憶部１０５は、コネクタ１０８によってレンズ鏡筒１００に着脱可能であるので、レンズ鏡筒１００へ入力可能な画像数が限定されない。多数の画像を入力したい場合には、大容量の着脱可能画像記憶部１０５を用いればよいし、多数の画像を入力しない場合には、小容量の着脱可能画像記憶部１０５を用いればよい。一般に、容量によって着脱可能画像記憶部１０５の値段に差があるので、適切な容量の着脱可能画像記憶部１０５を選択することにより、撮影者の過剰な出費を無くすことができる。なお、着脱可能画像記録部１０５は、複数個レンズ鏡筒１００へ設けられるようにしてもよい。
【００２９】
カメラ２００は、結合部２１０によってレンズ鏡筒１００に結合され、レンズ鏡筒１００のレンズＬの像を結像する受像部２０１を有する。
カメラＣＰＵ２０２は、受像部２０１で受けた画像を処理する。
ファインダー２０３は、カメラＣＰＵ２０２で処理された画像を投影し撮影者が確認できる所謂電子ビューファインダである。なお、ファインダー２０３は、レンズ鏡筒１００のレンズＬから光路を形成し被写体像を光学的に形成してもよい。
カメラ側画像記憶部２０４は、カメラＣＰＵ２０２で処理された画像を記憶する部分である。
【００３０】
カメラ側コネクタ２０５は、カメラ側ＣＰＵ２０２と接続され、外部装置と接続可能な部分である。
外部記憶部２０６は、カメラ側コネクタ２０５と脱着可能であり、カメラＣＰＵ２０２で処理された画像を記憶することが可能である。また、外部記憶部２０６は、カメラ側画像記憶部２０４に格納された画像を入力することもできる。
表示部２０７は、カメラＣＰＵ２０２で処理された画像を表示する液晶表示装置等からなる表示装置である。表示部２０７には、カメラ側画像記憶部２０４、外部記憶部２０６に格納された画像を表示する他に、レンズ鏡筒１００内の情報記憶部１０１，着脱可能画像記憶部１０５に記憶された画像等の情報を表示することができる。
【００３１】
次に、本実施例の主な使用方法について説明する。
（撮影者本人が撮影した画像を利用）
被写体像は、レンズＬを通じて受像部２０１に結像する。結像した画像は、カメラＣＰＵ２０２で処理を行い、カメラ側画像記憶部２０４若しくはカメラ側コネクタ２０５を経由して外部記憶部２０６に記憶される。カメラ側画像記憶部２０４若しくは外部記憶部２０６に記憶された画像は、カメラＣＰＵ２０２を経由して表示部２０７に表示して画像を確認することができる。
【００３２】
撮影者は、表示部２０７に表示してレンズ鏡筒１００を撮影に使用したときに画像の創作意欲を喚起する画像等、例えばポートレート画像を選択し、その画像をカメラＣＰＵ２０２、接点ターミナル１０７、レンズＣＰＵ１０６を経由して情報記憶部１０１（画像記憶部１０２）に、又は、コネクタ１０８を経由して着脱可能画像記憶部１０５に入力することができる。
画像記憶部１０２若しくは着脱可能画像記憶部１０５に記憶された画像は、レンズＣＰＵ１０６、接点ターミナル１０７、カメラＣＰＵ２０２を経由して表示部２０７に表示することができる。
【００３３】
このように、レンズ鏡筒１００に画像記憶部１０２若しくは着脱可能画像記憶部１０５を備えたので、レンズ鏡筒１００内にレンズ鏡筒１００が得意とするジャンルの画像を格納することができる。このことによって、撮影者が複数の撮影目的のある撮影に出発する前等に、レンズ鏡筒１００とカメラ２００の組み合わせでどのような撮影が可能か想定できる。
また、レンズ鏡筒１００とは異なる本発明を実施したレンズ鏡筒をカメラ２００に装着してみて撮影イメージを想定することで実際の撮影で機材が運搬可能な量であるのか、過剰な量であれば、どの機材を減らすべきかを明確に把握できる。
【００３４】
（撮影者以外の者が撮影した画像を利用）
レンズ鏡筒１００の特徴に一致した雑誌等の作例を情報端末等を用いて外部記憶部２０６に記憶し、カメラ側コネクタ２０５に接続し、カメラＣＰＵ２０２、接点ターミナル１０７、レンズＣＰＵ１０６を経由して情報記憶部１０１（画像記憶部１０２）若しくはコネクタ１０８を経由して着脱可能画像記憶部１０５に入力すれば、撮影者が自ら撮影したことのあるジャンルを超えての事前の撮影想定ができるので、より的確な撮影出発前の機材想定が可能になる。
また、レンズ鏡筒１００の特徴に一致した雑誌等の作例を着脱可能画像記憶部１０５に入力しコネクタ１０８に接続しレンズ鏡筒１００内に保有するようにしても、同様の効果を得ることができる。
【００３５】
（定点撮影における画像の利用）
同じ風景を季節を追って撮影する等の定点撮影においても、本発明は威力を発揮する。
撮影現地において、情報記憶部１０１（画像記憶部１０２）若しくは着脱可能画像記憶部１０５に記憶された過去の定点撮影の画像を、レンズＣＰＵ１０６、接点ターミナル１０７、カメラＣＰＵ２０２を経由して表示部２０７に表示させる。表示部２０７の画像と現在現地で目にしているファインダー２０３の画像によって、撮影範囲を正確に一致させて撮影をすることができる。
【００３６】
定点撮影では、前回と同じ交換レンズを使用して撮影することが必要であり、本実施例によれば、誤って前回の撮影に使用したものと異なる交換レンズを使って撮影してしまうといったミスも未然に防ぐことができる。
また、画像記憶部１０２若しくは着脱可能画像記憶部１０５に記憶された画像が、雑誌等の作例であれば、作例と一致した構図で撮影でき、写真の上達に貢献することもできる。
なお、表示部２０７に現在現地での画像と、画像記憶部１０２若しくは着脱可能画像記憶部１０５に記憶された過去の定点撮影の画像を重ね合わせて表示し、両者のずれが生じないように構図を一致させることができるようにしてもよい。
【００３７】
（撮影者が撮影した画像に関連付けて撮影状況を記憶して利用）
レンズ鏡筒１００は、情報記憶部１０１（撮影状況記憶部１０３）若しくは着脱可能画像記憶部１０５に画像の撮影状況を入力可能である。
レンズ鏡筒１００内に記憶する撮影状況としては、シャッタースピード、絞り値、カメラ２００の操作部材の設定状態、レンズ鏡筒１００の操作部材の設定状態、撮影に使用したアクセサリーの種類、例えば、ケーブルレリーズの有無や種類、三脚の有無や種類、撮影年月目、撮影時間、撮影時の天侯、場所等が考えられる。
【００３８】
これらの情報は、カメラＣＰＵ２０２が把握している情報についてはその情報を画像記憶部１０２により記憶した画像に関連付けて記憶し、撮影者が入力する必要がある情報については、不図示の入力部を利用したり、別途情報端末等を利用したりして追加記憶される。
レンズ鏡筒１００内の撮影状況記憶部１０３又は着脱可能画像記憶部１０５に記憶された撮影状況に関する情報は、レンズＣＰＵ１０６、接点ターミナル１０７、カメラＣＰＵ２０２を経由して表示部２０７で確認することができる。これにより、撮影出発前に撮影に必要な機材のチェックがより明確になり、現地にて機材の不携帯に気づき撮影ができないといったことを防止できる。
【００３９】
（撮影者以外の者が撮影した画像に関連付けて撮影状況を記憶して利用）
また、レンズ鏡筒１００の特徴に一致した雑誌等の作例の画像と、その作例の撮影時の撮影状況とを関連付けて情報記憶部１０１（撮影状況記憶部１０３）又は着脱可能画像記憶部１０５に記憶して利用すれば、撮影者が自ら撮影したことのあるジャンルを超えての事前の撮影状況が想定できるので、より的確な撮影出発前の機材準備が可能になる。
【００４０】
この場合、レンズ鏡筒１００の特徴に一致した雑誌等の作例の画像とその作例の撮影時の撮影状況とを関連付けて情報端末等を用いて外部記憶部２０６に記憶し、カメラ側コネクタ２０５に接続し、カメラＣＰＵ２０２、接点ターミナル１０７、レンズＣＰＵ１０６を経由して情報記憶部１０１（画像記憶部１０２，撮影状況記憶部１０３）若しくはコネクタ１０８を経由して着脱可能画像記憶部１０５に入力すればよい。
また、レンズ鏡筒１００の特徴に一致した雑誌等の作例の画像と、その作例の撮影時の撮影状況とを関連付けて着脱可能画像記憶部１０５に入力しコネクタ１０８に接続しレンズ鏡筒１００内に保有するようにしても、同様の効果を得ることができる。
【００４１】
（画像に関連付けて記憶した撮影状況を定点撮影において利用）
定点撮影では、前回撮影した画像の撮影時の撮影状況を画像と関連付けて情報記憶部１０１（撮影状況記憶部１０３）又は着脱可能画像記憶部１０５に記憶して利用することにより、現地においてより迅速に撮影が可能な状態に設定することができ、より正確な定点撮影が可能となる。また、過去の撮影状況が現地において確認可能になるので、意図的に連続的な変化をつける、例えば、前回との時期の経過に比例した量の構図の変更、前回との時期の経過に比例した撮影時刻の変更等を容易に行うことができる。従来は、このような撮影を行うためには、撮影データを別途メモなど記入し、その撮影データと写真とを照合可能な状態で携帯するなど、非常に多くの労力が必要であったが、本実施例によれば、このような定点撮影を容易に行うことができる。
【００４２】
（画像に関連付けて撮影者情報を記憶）
レンズ鏡筒１００には、情報記憶部１０１（撮影者情報記憶部１０４）又は着脱可能画像記憶部１０５に撮影者情報、例えば名前、所属等を記憶及び利用することができる。
撮影者情報は、情報端末等を用いて外部記憶部２０６に記憶し、外部記憶部２０６をカメラ側コネクタ２０５に接続し、カメラＣＰＵ２０２、接点ターミナル１０７、レンズＣＰＵ１０６を経由して情報記憶部１０１（撮影者情報記憶部１０４）又は着脱可能画像記憶部１０５に記憶して利用することができる。
【００４３】
また、カメラ２００の不図示の入力部材を用いて撮影者情報を入力し、カメラＣＰＵ２０２、接点ターミナル１０７、レンズＣＰＵ１０６を経由して情報記憶部１０１（撮影者情報記憶部１０４）又は着脱可能画像記憶部１０５に入力してもよい。
さらに、情報端末等を用いて着脱可能画像記憶部１０５に直接入力したり、コネクタ１０８、レンズＣＰＵ１０６を経由して情報記憶部１０１（撮影者情報記憶部１０４）に入力したりしてもよい。
【００４４】
情報記憶部１０１（撮影者情報記憶部１０４）又は着脱可能画像記憶部１０５に入力された撮影者情報は、撮影者がレンズ鏡筒１００を使用して撮影した画像に関連付けられる。例えば、撮影者が画像記憶部１０２若しくは着脱可能画像記憶部１０５に入力した雑誌等の風景の作例画像を参考に、作例と同じ現地に赴いて撮影し、作例に匹敵する作品の撮影に成功した場合、作例と撮影者の作品の見分けがつかなくなる可能性が出てくる。
【００４５】
撮影者の撮影技術が上達すればその差が顕著に縮まることが予想され、その際、情報記憶部１０１（撮影者情報記憶部１０４）又は着脱可能画像記憶部１０５に記憶されている撮影者情報によって、撮影者の識別が明確にできる。
そして、上達に伴い、撮影者の撮影した画像の価値は向上することから、その画像を撮影したのが誰であるのか（著作者が誰であるのか）ということがより重要となり、情報記憶部１０１（撮影者情報記憶部１０４）又は着脱可能画像記憶部１０５に記憶された撮影者情報がより重要になる。
【００４６】
本実施例によれば、レンズ鏡筒１００内に画像を記憶することができるので、レンズ鏡筒１００をカメラに装着するだけで、そのレンズにより撮影可能な画像を確認することができ、撮影前の機材選択時に有益な情報として活用することができるとともに、定点撮影などにおいても有効に利用することができる。
また、レンズ鏡筒１００内に記憶した画像に関連付けて撮影状況、及び、撮影者情報を記憶するので、記憶された画像をより有効に利用することができる。
【００４７】
（変形例）
以上説明した実施例に限定されることなく、種々の変形や変更が可能であって、それらも本発明の均等の範囲内である。
例えば、本実施例において、情報記憶部１０１又は着脱可能画像記憶部１０５には、画像，撮影状況，撮影者情報等を記憶する例を示したが、これに限らず、例えば、メーカー情報を記憶してもよい。この場合、例えば、レンズ鏡筒１００とカメラ２００が同じ製造メーカーの組み合わせであれば、表示部２０７にそのメーカーのロゴを表示するようにすれば、純正の組み合わせにした撮影者の満足感の向上と安心感に貢献できる。
【００４８】
また、本実施例において、レンズ鏡筒１００には、情報記憶部１０１と着脱可能画像記憶部１０５とを備えている例を示したが、これに限らず、例えば、情報記憶部１０１又は着脱可能画像記憶部１０５のいずれか一方のみを設けるようにしてもよい。
さらに、情報記憶部１０１は、画像記憶部１０２，撮影状況記憶部１０３，撮影者情報記憶部１０４を有している例を示したが、これに限らず、例えば、画像記憶部１０２だけを設けるようにしてもよい。
【００４９】
さらにまた、レンズ鏡筒１００内に記憶した情報は、カメラ２００に設けられた表示部２０７に表示する例を示したが、これに限らず、例えば、レンズ鏡筒１００に簡単な表示部を設けて情報を表示できるようにしてもよい。
【図面の簡単な説明】
【００５０】
【図１】本発明によるレンズ鏡筒及びカメラシステムの実施例を示す図である。
【符号の説明】
【００５１】
１００  レンズ鏡筒
１０１  情報記憶部
１０２  画像記憶部
１０３  撮影状況記憶部
１０４  撮影者情報記憶部
１０５  着脱可能画像記憶部
１０６  レンズＣＰＵ
１０７  接点ターミナル
１０８  コネクタ
１１０  結合部
２００  カメラ
２０１  受像部
２０２  カメラＣＰＵ
２０３  ファインダー
２０４  カメラ側画像記憶部
２０５  カメラ側コネクタ
２０６  外部記憶部
２０７  表示部
２１０  結合部
【図１】
2005181385.tif 000003